(57)【要約】  【課題】有機化合物が保有するエネルギーを燃料ガスとして高効率で回収できる加熱方法および加熱装置を提供すること。  【解決手段】有機化合物１０１を連続的または断続的に供給して加熱する加熱手段１０２と、有機化合物１０１の加熱に伴い発生する熱分解ガスを第１の分離ガスと第２の分離ガスに分離するガス分離手段１０７と、第１の分離ガスまたは第２の分離ガスのうち少なくとも一つを酸化させて酸化熱を回収する酸化熱回収手段１１２と、酸化熱回収手段１１２で得られる熱を加熱手段１０２に搬送する搬送手段１１３とから構成され、有機化合物（廃棄物）１０１から発電用燃料ガスを高効率で発生させることにより、保有するエネルギーを電気エネルギーとして利用し、発電用燃料として利用しない成分を燃焼して熱エネルギーを回収し、燃焼生成物である水分を残りの有機化合物のガス化剤として利用することによりエネルギー回収量を向上できる。【選択図】図１
2006104345.tif 000002
【特許請求の範囲】
【請求項１】
有機化合物を連続的または断続的に供給して加熱する加熱手段と、前記有機化合物の加熱に伴い発生する熱分解ガスを第１の分離ガスと第２の分離ガスに分離するガス分離手段と、前記第１の分離ガスまたは前記第２の分離ガスのうち少なくとも一つを酸化させて酸化熱を回収する酸化熱回収手段と、前記酸化熱回収手段で得られる熱を前記加熱手段に搬送する搬送手段とから構成されることを特徴とする有機化合物の加熱装置。
【請求項２】
有機化合物から発生する熱分解ガスは、先に投入した有機化合物層を流通することを特徴とする請求項１記載の有機化合物の加熱装置。
【請求項３】
ガス分離手段は、加熱手段から排出される熱分解ガスが流入する流入室と、金属膜で区切られた回収室とから構成され、前記流入室に流入する熱分解ガスのうち前記金属膜を通過して、前記回収室で回収される第１の分離ガスと、前記金属膜を通過しない第２の分離ガスに分離することを特徴とする請求項１または２に記載の有機化合物の加熱装置。
【請求項４】
第１の分離ガスが水素であることを特徴とする請求項１から３のいずれか一項に記載の有機化合物の加熱装置。
【請求項５】
有機化合物は動植物を起源とすることを特徴とする請求項１から４のいずれか一項に記載の有機化合物の加熱装置。
【発明の詳細な説明】
【技術分野】
【０００１】
本発明は、有機化合物の加熱装置に関するものである。
【背景技術】
【０００２】
従来、有機化合物の加熱装置としては、都市ごみ等の一般廃棄物や廃プラスチック等を含む産業廃棄物の処理装置が知られている（例えば、特許文献１参照）。
【０００３】
図２は、特許文献１に記載された従来の廃棄物処理装置における燃焼溶融炉の系統図である。図２に示すように、廃棄物処理装置１は、都市ごみ等の廃棄物２の投入部３、廃棄物２を搬送するスクリューフィーダ４、廃棄物２を加熱する熱分解反応器５とが備えられている。
【０００４】
燃焼溶融炉６の後流側には空気加熱器７が配置され、熱分解反応器５と空気加熱器７は加熱空気ラインＬ１で接続されている。
【０００５】
排出装置８は熱分解反応器５の後流側に備えられ、廃棄物２から発生する熱分解ガスＧ１と、主として不揮発性成分からなる熱分解残留物ａとを分離する。冷却装置９は熱分解残留物ａを冷却し、分離装置１０に供給して灰分を含む燃焼性成分ｂと不燃焼性成分ｃとに分離される。コンテナ１１は不燃焼性成分ｃを回収する筺体である。
【０００６】
粉砕機１２は燃焼性成分ｂを微粉砕し、燃焼性成分ラインＬ２を経て燃焼溶融炉６に供給する。
【０００７】
燃焼溶融炉６の上部には一方の蓄熱体１３（以下第１の蓄熱体という）と他方の蓄熱体１４（以下第２の蓄熱体という）が配置されている。この第１の蓄熱体１３と第２の蓄熱体１４の下部には区画１５が形成されるとともに、この区画１５は絞り部１６を介して燃焼溶融炉６内と連通している。そしてこの燃焼溶融炉６の下部にはスラグ排出口１７が設けられている。そして第１の蓄熱体配置域１８及び第２の蓄熱体配置域１９には燃焼ゾーン２０、２１が形成されるとともに、この第１の蓄熱体配置域１８と第２の蓄熱体配置域１９内には、熱分解ガスラインＬ３及び第１の切換弁２２ａを有する第１の分岐管Ｌ３ａと第２の切換弁２２ｂを有する第２の分岐管Ｌ３ｂを経て熱分解ガスＧ１が、また図示しない押込送風機より供給される燃焼用空気ｄが第１の制御弁２３ａを有する第１の空気供給管２４ａと第２の制御弁２３ｂを有する第２の空気供給管２４ｂを経て供給されるようになっている。
【０００８】
水槽２５は、スラグ排出口１７の下方に設置され、溶融スラグｅを回収する。廃熱ボイラ２６は、空気加熱器７と燃焼排ガスラインＬ４で接続されている。集塵装置２７は、廃熱ボイラ２６により熱回収された排ガスを除塵し、ガス洗浄装置２８に送る。ガス洗浄装置２８で洗浄されて比較的低温のクリーンな排ガスＧ４となって大部分は煙突２９から大気へ放出され、一部は送風機３０によりイナートガスラインＬ５を経て冷却装置９に供給される。発電装置３１は廃熱ボイラ２６により発生した蒸気Ｓにより発電する。誘引送風機３２はガス洗浄装置２８後流に設けられている。
【０００９】
以上のように構成された廃棄物処理装置について、以下その動作について説明する。
【００１０】
都市ごみ等の廃棄物２を、例えば二軸剪断式等の破砕機で、１５０ｍｍ角以下に破砕し、コンベア等により投入部３に投入し、スクリューフィーダ４を経て熱分解反応器５内に供給する。更に、廃棄物２を、空気加熱器７から加熱空気ラインＬ１を経て供給される加熱空気により、３００〜６００℃に、通常は４５０℃程度に加熱する。そして、加熱された廃棄物２は、熱分解して熱分解ガスＧ１と、主として不揮発性成分からなる熱分解残留物ａになり、排出装置８に送られて分離される。排出装置８で分離された熱分解ガスＧ１は、排出装置８の上部から熱分解ガスラインＬ３を経て燃焼溶融炉６に供給される。排出装置８から排出された熱分解残留物ａは、４５０℃程度の比較的高温であるため、冷却装置９により８０℃程度に冷却され、例えば磁選式、うず電流式、遠心式又は風力選別式等の公知の単独又は組み合わされた分離装置１０に供給され、ここで灰分を含む燃焼性成分ｂと不燃焼性成分ｃとに分離され、不燃焼性成分ｃはコンテナ１１に回収され再利用される。
【００１１】
更に、燃焼性成分ｂは、粉砕機１２により、例えば１ｍｍ以下に微粉砕され、燃焼性成分ラインＬ２を経て燃焼溶融炉６に供給される。
【００１２】
第２の蓄熱体１４が加熱され昇温している場合について説明すると、先ず第１の切換弁２２ａを開放し、第２の切換弁２２ｂを閉鎖するとともに第１の制御弁２３ａと第２の制御弁２３ｂとを所定の開度となるよう設定しておく。この場合第１の制御弁２３ａの開度を大となるようにしておく。このように設定することにより燃焼用空気ｆの大部分は第２の蓄熱体配置域１９に供給され第２の蓄熱体１４により予熱され、例えば１０００℃程度の高温の燃焼用空気となって区画１５内に供給される。
【００１３】
一方、燃焼用空気ｆの一部は第２の空気供給管２４ｂからまた熱分解ガスＧ１は第１の分岐管Ｌ３ａから夫々第１の蓄熱体配置域１８に供給されて混合され、然る後燃焼ゾーン２０で約１，０００℃〜１，６００℃程度の高温で燃焼され、この燃焼ガスＧ２により第１の蓄熱体１３は加熱され昇温（蓄熱）される。そしてこの燃焼ガスＧ２は区画１５内で燃焼用空気ｆ’と混合され酸素のリッチなガスとして絞り部１６を経て燃焼溶融炉６内の燃焼域に供給され、ここで燃焼性成分ラインＬ２から供給された燃焼性成分ｂを約１，３００℃程度の高温で燃焼させる。そしてこの高温燃焼により生じた燃焼灰や予め燃焼性成分ｂ中に含まれる灰分は溶融スラグｅとなって燃焼溶融炉６の内壁に付着し流下する。そしてスラグ排出口１７から水槽２５内に流下し冷却固化される。
【００１４】
燃焼溶融炉６内で発生した高温の燃焼ガスＧ３は空気加熱器７及び燃焼排ガスラインＬ４を経て廃熱ボイラ２６により熱回収され集塵装置２７で除塵されかつガス洗浄装置２８で洗浄されて比較的低温のクリーンな排ガスＧ４となって大部分は煙突２９から大気へ放出され一部は送風機３０によりイナートガスラインＬ５を経て冷却装置９に供給される。
【００１５】
第２の蓄熱体１４の温度が低下して来ると第１の切換弁２２ａと第２の切換弁２２ｂとを切換えるとともに第１の制御弁２３ａと第２の制御弁２３ｂの開度を夫々制御することによって第１の蓄熱体１３により高温の燃焼用空気ｆ’を生成し一方第２の蓄熱体配置域
１９により熱分解ガスＧ１を燃焼させて第２の蓄熱体１４を加熱して昇温させることとなる。
【特許文献１】特開平１０−２０５７２５号公報
【発明の開示】
【発明が解決しようとする課題】
【００１６】
しかしながら、上記従来の構成は、空気加熱器７で加熱された加熱空気を熱分解反応器５に供給して廃棄物２を熱分解する。そして発生した熱分解ガスＧ１および熱分解残留物ａに含まれる燃焼性成分ｂを燃焼させるため、廃棄物２が保有するエネルギーを熱以外の形態で取り出すことが困難であり、一部廃熱ボイラを利用してタービン発電を行っているが、とくに小型のシステムではエネルギー効率が悪いという課題があった。また、分離装置１０において熱分解残留物ａの燃焼性成分ｂと不燃焼性成分ｃとを分離しているが、粉粒体状の熱分解残留物ａを精度良く分離することは困難であり、エネルギー資源として利用できる燃焼性成分ｂの一部が不燃焼性成分ｃ側に混入するため、回収できるエネルギー量が減少するという課題を有していた。
【００１７】
本発明は、上記従来の課題を解決するもので、有機化合物（廃棄物）から発電用燃料ガスを高効率で発生させることにより、保有するエネルギーを電気エネルギーとして利用し、さらに小型でエネルギー回収量を向上させることができる加熱装置を提供することを目的とする。
【課題を解決するための手段】
【００１８】
上記従来の課題を解決するために、本発明の有機化合物の加熱装置は、有機化合物を連続的または断続的に供給して加熱する加熱手段と、有機化合物の加熱に伴い発生する熱分解ガスを第１の分離ガスと第２の分離ガスに分離するガス分離手段と、第１の分離ガスまたは第２の分離ガスのうち少なくとも一つを酸化させて酸化熱を回収する酸化熱回収手段と、酸化熱回収手段で得られる熱を加熱手段に搬送する搬送手段とから構成されたことを特徴とするものであり、有機化合物（廃棄物）から発電用燃料ガスを高効率で発生させることにより、保有するエネルギーを電気エネルギーとして利用し、さらに発電用燃料として利用しない成分を燃焼して熱エネルギーを回収するとともに、燃焼生成物である水分を残りの有機化合物のガス化剤として利用することによりエネルギー回収量を向上させることができる。
【発明の効果】
【００１９】
有機化合物（廃棄物）から発電用燃料ガスを高効率で発生させて発電することにより、保有するエネルギーを電気エネルギーとして利用し、さらにエネルギー回収量を向上させることができる。
【発明を実施するための最良の形態】
【００２０】
請求項１に記載の有機化合物の加熱装置の発明は、有機化合物を連続的または断続的に供給して加熱する加熱手段と、有機化合物の加熱に伴い発生する熱分解ガスを第１の分離ガスと第２の分離ガスに分離するガス分離手段と、第１の分離ガスまたは第２の分離ガスのうち少なくとも一つを酸化させて酸化熱を回収する酸化熱回収手段と、酸化熱回収手段で得られる熱を加熱手段に搬送する搬送手段とから構成されたものであり、有機化合物を加熱して発生する多成分混合ガスである熱分解ガスを発生させる。その多成分混合ガスのうち価値の高い発電燃料用ガスを分離する。そして、熱分解ガス成分のうち、発電に利用しないガスは燃焼し、発生する燃焼熱を加熱手段に搬送することにより加熱手段の熱源として利用する。また、燃焼時に発生する水（水蒸気）もまた、有機化合物のガス化に必要なガス化剤として利用するべく、加熱手段に搬送する。このことにより、有機化合物が保有するエネルギーを発電用燃料ガスを回収すると同時に、発電用燃料ガス以外のガスのエネルギーも熱エネルギーとして無駄なく利用できるので、エネルギー回収量を向上できる。
【００２１】
また、請求項２に記載の有機化合物の加熱装置の発明は、請求項１に記載の発明の有機化合物から発生する熱分解ガスは、先に投入した有機化合物層を流通するものであり、有機化合物から発生する熱分解ガスまたは揮発物の一部は、先に投入した有機化合物層により捕捉される。そして、捕捉された熱分解ガスまたは揮発物は、後から投入される有機化合物の含有水が蒸発して流通する過熱水蒸気、または酸化熱回収手段で発生する水分から生成される過熱水蒸気をガス化剤としてガス化させるため、有機化合物のガス転換率が向上し、回収する発電用燃料ガス量が増加するとともに、加熱手段の熱源用として燃焼できるガス量も増加するので、エネルギー回収量もさらに向上できる。
【００２２】
また、請求項３に記載の有機化合物の加熱装置の発明は請求項１または２に記載の発明のガス分離手段は、加熱手段から排出される熱分解ガスが流入する流入室と、金属膜で区切られた回収室とから構成され、流入室に流入する熱分解ガスのうち金属膜を通過して、回収室で回収される第１の分離ガスと、金属膜を通過しない第２の分離ガスに分離するものであり、金属膜は第１の分離ガスの主成分のみを固溶することにより、第２の分離ガスと分離する。このことから、簡単な構造で多成分の熱分解ガスから発電用燃料ガスを分離回収できるので、有機化合物が保有するエネルギーを小型なシステムで効率よく発電用燃料ガスを回収できる。
【００２３】
また、請求項４に記載の有機化合物の加熱装置の発明は、請求項１から３のいずれか一項に記載の発明の第１の分離ガスが水素であることを特徴とするものであり、第１の分離ガスを小型で高効率な発電手段である燃料電池用燃料ガスとして利用できる。
【００２４】
また、請求項５に記載の有機化合物の加熱装置の発明は、請求項２から４のいずれか一項に記載の発明の有機化合物は動植物を起源とするものであり、揮発成分含有量が多い動植物を熱分解したときに多量のタール等を発生する。このタールを燃焼させて得る熱エネルギーと水蒸気を生成する。そして、この過熱水蒸気をガス化剤として残りの動植物系有機化合物や熱分解残渣をそれより高温領域でガス化する。このことにより、動植物系有機化合物が保有するエネルギーを燃料ガスとして取り出すことができ、さらに燃焼熱をガス化のためのエネルギーとして有効に利用できるので、エネルギー回収量をさらに向上できる。
【００２５】
以下、本発明の実施の形態について、図面を参照しながら説明する。なお、この実施の形態によってこの発明が限定されるものではない。
【００２６】
（実施の形態１）
図１は、本発明の実施の形態１における加熱装置の構成を示す図である。
【００２７】
図１において、有機化合物１０１は動植物由来の燃料であるバイオマスを想定しており、代表例として家庭や事業所等からの廃棄物、製材所などからの木屑、畜産業者などから家畜糞尿などがある。なお、樹脂材料等もまた有機化合物１０１としても差し支えはない。
【００２８】
このような有機化合物１０１は、耐熱性及び耐食性に優れた材料であるステンレス３１６、インコネル、ハステロイなどで製造された加熱手段１０２内に収納されている。さらに、耐熱、耐食性能を向上させるために、耐火煉瓦など無機材料で製造したり、内部を耐熱、耐食塗料などでコーティングするとさらに耐食性は向上する。加熱手段１０２内部は定常運転しているときには、上部の有機化合物１０１層と下部の残渣１０３層に大きく分けることができる。また、加熱手段１０２底部からは余分な残渣１０３を排出できるようにホッパー形状となっている。
【００２９】
また、加熱手段１０２の側壁には、有機化合物１０１層を加熱する第１のヒーター１０５と、残渣１０３層を加熱する第２のヒーター１０６が備えられており、有機化合物１０１、残渣１０３、加熱手段１０２の熱負荷が比較的小さい場合には、カンタル熱線など電気式ヒーターを使用すると小型で取り扱いが容易であり、逆に大熱量が必要な場合には、石油ヒーターやガスヒーターを使用すると良い。
【００３０】
加熱手段１０２内において有機化合物１０１が加熱されて発生する熱分解ガスは水素、一酸化炭素、二酸化炭素、メタン、エチレン、その他炭化水素などで構成され、ガス分離手段１０７で発電用燃料ガスとして有用なガスと、その他の不要ガスに分離される。
【００３１】
例えば、燃料電池用燃料ガスとして有用な水素分離を目的とした場合のガス分離手段１０７の構造は、多孔性材料表面にパラジウムまたはパラジウム合金等薄膜をメッキ等の方法でコーティングした金属膜１０８で区切られた円筒状二重管構造で、内側の流入室１０９と外側の回収室１１０とで構成され、流入室１０９内を多成分混合状態の熱分解ガスが流通する過程で、水素のみが金属膜１０８を通過して分離され、残りのガスは流入室１０９端部から流出することにより、水素とその他成分に分離できる。
【００３２】
また、発電機１１１は、燃料電池やガスエンジンやガスタービン発電機などを想定している。
【００３３】
酸化熱回収手段１１２は、ガス分離手段１０７で発電用燃料ガスを分離した残りの不要ガスと空気（酸素）を反応させることにより、反応（酸化）熱と水分（水蒸気）を得ることができる。酸化熱回収手段１１２は、ガスと空気を円滑に反応させるために、着火プラグが備えられている。ここで得られた反応（酸化）熱は、搬送手段（配管）１１３を介して加熱手段１０２内に搬送されて、有機化合物１０１の加熱源として利用する。また、水分（水蒸気）は、同じく搬送手段１１３を介して加熱手段１０２内の残渣１０３をガス化するガス化剤として利用する。
【００３４】
ガス分離手段１０７と酸化熱回収手段１１２の間には、ガスの逆流を防止する逆止弁１１４が備えられている。
【００３５】
以上のように構成された加熱装置について、以下その動作、作用を説明する。なお、加熱手段１０２が空の状態、つまり残渣１０３が無い場合についての説明は省略し、残渣１０３が加熱手段１０２下部にある場合についてのみ説明する。
【００３６】
まず、有機化合物１０１を加熱手段１０２内の残渣１０３上方に投入する。次に第１のヒーター１０５および第２のヒーター１０６をＯＮにして、有機化合物１０１および残渣１０３を加熱する。しばらく加熱され有機化合物１０１が昇温すると、保有している水分は蒸発して残渣１０３層を通過する。このとき、残渣１０３温度は常に有機化合物１０１温度以上にして、水が凝縮しないようにする。また、余分な残渣１０３は加熱手段１０２底部から排出され、回収容器１０４に回収される。
【００３７】
さらに加熱されて有機化合物１０１が２００〜３００℃以上になると、揮発分や熱分解ガスが発生する。揮発分の主なものはタール（高分子炭化水素）であり、発生後に残渣１０３層を通過するとき、これら物質の一部は残渣１０３により捕捉される。ここで捕捉されずに通過したタールはガス分離手段１０７まで到達するが、その手前に交換可能なフィルター（図示せず）などを設置して凝縮性成分、粉塵などを除去するとガス分離手段１０７の寿命は長くなる。
【００３８】
さらに加熱が進み、有機化合物１０１および残渣１０３が約７００℃以上になると、水蒸気がガス化剤となり、有機化合物１０１中の炭素分と反応して、水素、一酸化炭素、二酸化炭素などを生成する。これらの混合ガスがガス分離手段１０７の流入室１０９に流入する。金属膜１０８をパラジウムやパラジウム合金膜とすると、これらに固溶可能な水素ガスが金属膜１０８を通過し、回収室１１０にて回収される。さらに、回収室１１０で回収された水素ガスは発電機（燃料電池）１１１に送られて発電する。なお、発電時に発生する廃熱は、有機化合物１０１の乾燥などに利用するとシステム全体のエネルギー効率はさらに向上する。
【００３９】
ガス分離手段１０７で水素等の発電用燃料ガスを分離した後の残りのガス成分は、逆止弁１１４を通過し酸化熱回収手段１１２に流入する。
【００４０】
酸化熱回収手段１１２で得られた反応（酸化）熱は、搬送手段（配管）１１３を介して加熱手段１０２内に搬送されて、有機化合物１０１の加熱源として利用する。また、燃焼時に発生する水分（水蒸気）は、同じく搬送手段１１３を介して加熱手段１０２内の残渣１０３をガス化するガス化剤として利用する。
【００４１】
以上のように、本実施の形態においては、有機化合物１０１を連続的または断続的に供給して加熱する加熱手段１０２と、有機化合物１０１の加熱に伴い発生する熱分解ガスを第１の分離ガスと第２の分離ガスに分離するガス分離手段１０７と、第１の分離ガスまたは第２の分離ガスのうち少なくとも一つを酸化させて酸化熱を回収する酸化熱回収手段１１２と、酸化熱回収手段１１２で得られる熱を加熱手段１０２に搬送する搬送手段１１３とから構成されたものであり、有機化合物（廃棄物）１０１が保有するエネルギーを熱化学的方法により回収するために、有機化合物１０１を加熱して熱分解ガスを発生させる。このときに同時に発生するタールのような揮発分等をさらに高温雰囲気で水蒸気と反応させてガス化することにより、有機化合物１０１のから水素などの発電用燃料ガスを回収する。ガス化剤に水蒸気を利用することにより、有機化合物１０１のガス転換率は高く、高効率でエネルギー回収が可能となる。また、水素ガスは小型で高効率な発電機（燃料電池）１１１の燃料ガスであり、有機化合物１０１から電気エネルギーを回収するシステムとして、小型化、高効率化が可能となる。
【００４２】
なお、本実施の形態では、発電機１１１に燃料電池を使用しているが、マイクロガスエンジン発電機や、マイクロガスタービン発電機を用いても構わない。
【産業上の利用可能性】
【００４３】
以上のように、本発明にかかる有機化合物の加熱装置は、有機化合物を加熱したときに発生する熱分解ガスから、発電燃料として有用な成分を分離し、残りの成分の燃焼熱を有機化合物の加熱源として利用することに加え、燃焼時に発生する水分をガス化剤として残りの有機化合物をガス化して水素等の燃料ガスを回収するので、有機化合物のエネルギー化システムの高効率化が可能となるので、システム全体を小型化でき、設置面積が限られる小店舗、家庭など有機系廃棄物が排出されるその場所で、ガス化し発電することにも適用できる。
【図面の簡単な説明】
【００４４】
【図１】本発明の実施の形態１における加熱装置の構成を示す図
【図２】従来の廃棄物処理装置における燃焼溶融炉の系統図
【符号の説明】
【００４５】
１０１  有機化合物（動植物）
１０２  加熱手段
１０７  ガス分離手段
１０８  金属膜
１０９  流入室
１１０  回収室
１１２  酸化熱回収手段
１１３  搬送手段（配管）
【図１】
2006104345.tif 000003
【図２】
2006104345.tif 000004